(57)【要約】【課題】少ない力で雑草を把持することができるとともに、雑草の茎を可能な限り切断することなく根こそぎ雑草を抜くことができるようにした草抜き器を提供することを目的とする。【解決手段】棒状のロッド２と、そのロッド２の下端側に設けられ、地面の水平方向に向けてテーパー状に開口するように上板４２ｕと下板４２ｄとからなる開口部材４１と、その開口部材４１の開口部４３に所定の隙間を持って挿入される板状の挿入部材５と、その挿入部材５を開口部材４１の開口部４３に挿抜させるためのアーム６やハンドル３１などからなる操作機構７とを備え、操作機構７のハンドル３１を握ることによって挿入部材５を開口部４３に挿入させ、雑草の茎を複数箇所で屈曲させ、茎を切断することなく挟持させて雑草を根から引き抜けるようにする。【選択図】図１
2013070681.tif 000002
【特許請求の範囲】
【請求項１】
棒状のロッドと、
当該ロッドの下端側に設けられ、地面の水平方向に向けてテーパー状に開口する開口部を備えた開口部材と、
当該開口部材の開口部に挿入される挿入部材と、
前記挿入部材を開口部材の開口部に挿抜させるための操作機構とを備え、
当該操作機構によって挿入部材を開口部に挿入させ、雑草の茎を複数箇所で屈曲させて挟み込むようにしたことを特徴とする草抜き器。
【請求項２】
前記開口部材を下板と上板とを有するように構成し、ロッドを地面に対して鉛直に起立させた際に、下板を地面に対して傾斜させるようにした請求項１に記載の草抜き器。
【発明の詳細な説明】
【技術分野】
【０００１】
本発明は、雑草を根こそぎ抜くことができるようにした草抜き器に関するものである。
【背景技術】
【０００２】
従来より、種々の手動式の草抜き器が提案されている。例えば、下記の特許文献１には、図４に示すように、棒状のロッド９１と、そのロッド９１の上端側に設けられるハンドル９１ａと、そのハンドル９１ａによって操作される雑草の挟持部９２とを備えた草抜き器が提案されている。この草抜き器の下端側に設けられる挟持部９２は、ロッド９１に固定される鍬刃９３と、ハンドル９１ａによって回動する当て板９４とによって構成されており、ハンドル９１ａを操作することによって当て板９４を鍬刃９３の刃先に押し当て、雑草を刈ったり抜き取ったりできるようになっている。
【先行技術文献】
【特許文献】
【０００３】
【特許文献１】特開２００５−２７８４９５号公報
【発明の概要】
【発明が解決しようとする課題】
【０００４】
しかしながら、このような従来の草抜き器を用いた場合、次のような問題を生じる。
【０００５】
すなわち、このような従来の草抜き器では、雑草を当て板９４を鍬刃９３の刃先に当てるような構造になっているため、雑草の挟み込み力を強くするには、強くハンドル９１ａを握らなければならない。しかるに、ハンドル９１ａを強く握ると、鍬刃９３の刃先で雑草の茎が切断されて根が地中に残ってしまい、そこから再び雑草が生えてしまう。
【０００６】
そこで、本発明は上記課題を解決するために、少ない力で雑草を把持することができるとともに、雑草の茎を可能な限り切断することなく根こそぎ雑草を抜くことができるようにした草抜き器を提供することを目的とする。
【課題を解決するための手段】
【０００７】
すなわち、本発明の草抜き器は、上記課題を解決するために、棒状のロッドと、当該ロッドの下端側に設けられ、地面の水平方向に向けてテーパー状に開口する開口部を備えた開口部材と、当該開口部材の開口部に挿入される挿入部材と、前記挿入部材を開口部材の開口部に挿抜させるための操作機構とを備え、当該操作機構によって挿入部材を開口部に挿入させ、雑草の茎を複数箇所で屈曲させて挟み込むようにしたものである。
【０００８】
このように構成すれば、開口部材の開口部から挿入部材を挿入させることによって雑草を複数箇所で屈曲させることができ、軽い力で雑草の茎を挟持させて抜くことができるようになる。
【０００９】
また、このような発明において、開口部材を下板と上板とを有するように構成し、ロッドを地面に対して鉛直に起立させた際に、下板を地面に対して傾斜させるようにする。
【００１０】
このようにすれば、ロッドを起立させて挿入部材を開口部に挿入した際、茎が下板で直角に折れ曲がってしまうことがなくなり、茎がその部分で切断されてしまうようなことがなくなる。
【発明の効果】
【００１１】
本発明によれば、開口部材の開口部から挿入部材を挿入させることによって雑草を屈曲させることができるため、軽い力で雑草の茎を挟み込んで雑草を抜くことができるようになるというメリットを得ることができる。
【図面の簡単な説明】
【００１２】
【図１】本発明の一実施の形態を示す草抜き器の概略図
【図２】同形態における挟持部の概略図
【図３】同形態における挟持部の動作状態を示す図
【図４】従来例における草抜き器を示す図
【発明を実施するための最良の形態】
【００１３】
以下、本発明の一実施の形態について図面を参照しながら説明する。この実施の形態の草抜き器１は、雑草の茎を切断することなく、その茎を複数箇所で屈曲させて挟み込めるようにしたもので、大きく分けると、図１に示すように、棒状のロッド２と、そのロッド２の下端側に設けられ、雑草の茎を挟み込む挟持部４と、その挟持部４を作動させるための操作機構７とを備えて構成されている。そして、特徴的には、その挟持部４について、地面の水平方向に向けてテーパー状に開口する開口部４３を備えた開口部材４１と、その開口部材４１の開口部４３に挿入される挿入部材５とを備えるように構成し、その挿入部材５を挿入させることによって、図３に示すように、雑草の茎を複数箇所で屈曲させて軽い力で茎を挟持させるようにしている。以下、本実施の形態における草抜き器１の具体的構成について詳細に説明する。
【００１４】
まず、ロッド２は棒状の部材で構成されるものであって、平均的な身長を有する作業者の腰付近までの長さを有するように構成されている。ここでは、ロッド２を中空状の金属パイプによって構成し、その上端部分に操作部３を設けるとともに、下端部分に挟持部４を取り付け、その中空部分に操作部３からのピアノ線３３を通すようにしている。なお、ここでは、平均的な身長を有する作業者の腰付近までの長さにしているが、椅子に腰掛けて作業する場合に対応して、膝付近までの長さを有するようにロッド２を構成するようにしてもよい。
【００１５】
このロッド２の上端部分に設けられる操作部３は、ロッド２に対してＴ字状に設けられるハンドル３１と、そのハンドル３１を覆うフレーム３２とを設けて構成されており、フレーム３２を握ってハンドル３１を引き寄せることによって挟持部４を動作させ、ピアノ線３３を引き寄せられるようにしている。
【００１６】
一方、このロッド２の下端部分に設けられる挟持部４は、図２に示すように、地面に対して水平方向に向けてテーパー状に開口する開口部材４１と、その開口部４３に挿抜可能に挿入させる挿入部材５とを備えて構成されている。この開口部材４１は、地面に対して水平方向に向けてテーパー状に開口するものであればどのような形状のものであってもよいが、この実施の形態では、低コストかつ容易に製作できるように、下板４２ｄと上板４２ｕを鋭角をなすように構成している。なお、ここで下板４２ｄについては、地面に対して水平となるように設けてもよいが、このようにすると、挿入部材５を開口部材４１に挿入した際に、地面付近の固い茎が直角に折れ曲がってしまい、そこで茎が切断されてしまう可能性がある。そのため、ここでは下板４２ｄを地面に対して１５度〜３０度の範囲内で傾斜させるようにして茎を切断させないようにしている。また、上板４２ｕはこの下板４２ｄに対して鋭角となるように設けられている。この角度についても、鋭角すぎると茎を開口部４３に挿入させることができず、また、仮に挿入したとしても鋭角に折り曲げ過ぎて茎が切断されてしまう可能性がある。一方、逆に上板４２ｕと下板４２ｄとの角度が緩すぎると（例えば、７０度〜８０度）、茎を挟み込んで屈曲させたとしても、挟み込み力が薄れてしまう。そこで、この実施の形態では、屈曲による挟み込みの効果と切断の防止とのバランスを図るべく、上板４２ｕと下板４２ｄの角度を１５度〜３０度の範囲内となるようにしている。また、この上板４２ｕについては、ロッド２を地面に対して鉛直方向となるように起立させた場合に、上板４２ｕの先端側を下板４２ｄと同じ位置か、あるいは、少なくとも下板４２ｄよりも前方に位置させるようにしている。このようにすれば、挿入部材５を作業者の前方から回動させた際、茎が先に上板４２ｕの先端側に接触するので、茎が作業者側へと倒れ込むようなことがなくなり、作業の邪魔となるようなことがなくなる。
【００１７】
この開口部材４１に挿入される挿入部材５は、上板４２ｕと下板４２ｄに対してそれぞれ所定の隙間を有するように挿入されるもので、ここでは、一枚の薄い板状の部材で構成される。この挿入部材５は、操作機構７を構成する回動可能なアーム６の先端側に取り付けられており、ヒンジ６１を中心にアーム６を回動させることによって開口部材４１に挿入されるようになっている。
【００１８】
この挿入部材５を開口部材４１に挿入させるための操作機構７について説明すると、この操作機構７は、前述のハンドル３１やアーム６などによって構成されている。このアーム６は、ロッド２に対してヒンジ６１で回動可能に取り付けられており、しかも、ロッド２に取り付けられたコイルバネ３４によって常に挿入部材５を開口部材４１から離間させるように力が付勢されている。そして、ハンドル３１を操作することによって、そのハンドル３１に接続されたピアノ線３３を通じてアーム６の他端側を引っ張り、コイルバネ３４の力に抗して挿入部材５を開口部材４１に挿入させるようになっている。
【００１９】
次に、このように構成された草抜き器１の作用について、図３を用いて説明する。
【００２０】
まず、草抜き器１を用いて雑草を抜く場合、ロッド２を起立させた状態で、下板４２ｄを雑草の茎の近くに移動させる。このとき、挿入部材５はコイルバネ３４の力によって開口部材４１から離間された状態となっており、その間に雑草を挿入させることができる。
【００２１】
このような状態で作業者がハンドル３１を握ると、ピアノ線３３を介してアーム６の他端側は上側へと引っ張られ、さらにそこからハンドル３１を強く握ることで、コイルバネ３４の力に抗してアーム６が回動し、挿入部材５が開口部材４１の上板４２ｕと下板４２ｄとの隙間に挿入される。
【００２２】
このとき、挿入部材５が上板４２ｕの先端側に位置した場合、上板４２ｕと挿入部材５との間に所定の隙間が形成されているため、挿入部材５を作業者側へと回動させるように作業した場合、雑草の茎が作業者の前方側へと倒れ込むようになる。また、これと同時に、下板４２ｄと挿入部材５との間に所定の隙間が形成されているため、雑草の茎が切断されることなく屈曲され、かつ、挿入部材５の先端側でも屈曲される。すなわち、雑草は下板４２ｄの先端側と挿入部材５の先端側の二カ所で屈曲されるようになる。
【００２３】
そして、この状態で作業者がロッド２を上側に引き上げると、茎を挟み込んだ状態で（切断することなく）、根から雑草を引き抜くことができるようになる。
【００２４】
このように上記実施の形態によれば、棒状のロッド２と、当該ロッド２の下端側に設けられ、地面の水平方向に向けてテーパー状に開口する開口部４３を備えた開口部材４１（上板４２ｕおよび下板４２ｄ）と、当該開口部材４１の開口部４３に挿入される挿入部材５と、前記挿入部材５を固定刃の開口部４３に挿抜させるための操作機構７とを備え、当該操作機構７によって挿入部材５を開口部４３に挿入させ、雑草の茎を複数箇所で屈曲させて挟み込むようにしたので、雑草を複数箇所で屈曲させることができ、軽い力で雑草の茎を挟持させて茎を切断することなく雑草を抜くことができるようになる。しかも、開口部４３を作業者の前方側に向けて作業すれば、背の高い雑草が前方側へと倒れ込み、作業の邪魔になるようなことがなくなるというメリットも得ることができる。
【００２５】
また、開口部材４１を下板４２ｄと上板４２ｕとを有するように構成し、ロッド２を地面に対して鉛直に起立させた際に、下板４２ｄを地面に対して傾斜させるようにしたので、ロッド２を起立させて挿入部材５を開口部４３に挿入した際、茎が下板４２ｄで直角に折れ曲がってしまうことがなくなり、茎がその部分で切断されてしまうようなことがなくなる。
【００２６】
なお、本発明は上記実施の形態に限定されることなく、種々の形態で実施することができる。
【００２７】
例えば、上記実施の形態では、開口部材４１を上板４２ｕと下板４２ｄで構成したが、一枚の板をＵ字状もしくは矩形状に屈曲させて構成するようにしてもよい。あるいは、一カ所で屈曲させるのではなく、複数箇所で屈曲させ波板状のものを用いるようにしてもよい。
【００２８】
また、上記実施の形態では、挿入部材５として板状の部材で構成するようにしたが、テーパー状の開口部４３の形状に対応させた形状としてもよい。すなわち、上記実施の形態のように、上板４２ｕと下板４２ｄとで三角形状をなすような開口部４３を形成している場合、挿入部材５として三角形状をなすような部材を用いてもよい。ただし、このような形状のものを用いる場合であっても、挿入部材５を最も挿入した際に開口部材４１との間に所定の隙間を有するようにして茎を切断しないようにしておくのが好ましい。
【００２９】
さらに、上記実施の形態では、アーム６をロッド２に対して回動可能に固定するようにしているが、一カ所のヒンジ６１でアーム６を固定すると、開口部材４１と挿入部材５との離間距離が固定されてしまい、多くの雑草を一気に抜きたい場合に、その離間距離を広げることができない。また、茎の固い雑草を屈曲させる場合に、握力不足で茎を挟み込むことができない場合もある。そこで、アーム６の回転中心を移動できるようにすることもできる。このように回転中心を移動させる場合、アーム６の中央付近に長孔を形成しておき、任意の位置でヒンジ６１を締めることによってその位置でアーム６を回転させるようにする。また、これに伴って、挿入部材５と開口部材４１との位置を対応させるべく、アーム６の先端側にも長孔などのスライド機構を形成しておき、開口部材４１に挿入できるような位置に挿入部材５を位置決めして固定できるようにすることもできる。このようにすれば、開口部材４１と挿入部材５の離間距離を広げて一気に多くの雑草を挟み込むようにすることもでき、あるいは、離間距離を縮めるとともに少ない握力で固い茎を挟み込むことができるようにすることもできる。
【符号の説明】
【００３０】
１・・・草抜き器
２・・・ロッド
３・・・操作部
３１・・・ハンドル
３２・・・フレーム
３３・・・ワイヤー
３４・・・コイルバネ
４・・・挟持部
４１・・・開口部材
４２ｕ・・・上板
４２ｄ・・・下板
４３・・・開口部
５・・・挿入部材
６・・・アーム
６１・・・ヒンジ
７・・・操作機構
【図１】
2013070681.tif 000003
【図２】
2013070681.tif 000004
【図３】
2013070681.tif 000005
【図４】
2013070681.tif 000006